(57)【要約】【課題】画面の視認性を確保しつつ、より多くの情報をユーザに提示することが可能な表示装置及びその表示装置を備えたミシンを提供する。【解決手段】液晶ディスプレイ１５の前面には、透明なタッチパネルが設けられている。液晶ディスプレイ１５には、第一表示領域１００の下側に隣接して第二表示領域１６０が表示されている。第一表示領域１００には、模様選択キー１０３などが表示されている。第二表示領域１６０には、機能キー５０が１行分表示されている。機能キー５０は、模様に所定の設定を行うためのキーである。第二表示領域１６０には、タブ１６１が設けられている。ユーザがタブ１６１を操作すると、第二表示領域１６０が大きくなり、２行分の機能キー５０が表示される。【選択図】図５
2013111273.tif 000002
【特許請求の範囲】
【請求項１】
縫製に関する情報を含む第一情報を表示する領域である第一表示領域と、縫製に関する情報であって前記第一情報とは異なる情報を含む第二情報を表示する領域である第二表示領域とを隣接させて表示部に表示する第一表示制御手段と、
前記第一表示制御手段によって前記表示部に表示された前記第一表示領域と前記第二表示領域とのうち、少なくとも一方の表示領域の大きさを変更して前記表示部に表示する変更手段と
を備えたことを特徴とする表示装置。
【請求項２】
前記第一表示領域又は前記第二表示領域の大きさを変更するための操作が入力される入力手段を備え、
前記変更手段は、前記入力手段を介して前記操作が入力された場合に、前記第一表示制御手段によって前記表示部に表示されている前記第一表示領域と前記第二表示領域とのうち、前記操作に応じた表示領域の大きさを変更して前記表示部に表示することを特徴とする請求項１に記載の表示装置。
【請求項３】
前記第一表示制御手段は、前記表示部における前記第二表示領域内に、前記第二表示領域の大きさを変更する操作部であることを示す特定部位を表示し、
前記変更手段は、前記入力手段によって前記特定部位が操作された場合に、少なくとも前記第二表示領域の大きさを変更することを特徴とする請求項３に記載の表示装置。
【請求項４】
前記特定部位は、前記第二表示領域から、前記第二表示領域に隣接する前記第一表示領域側に向けて突出する部位であることを特徴とする請求項４に記載の表示装置。
【請求項５】
前記特定部位の内側に、前記第二表示領域の大きさを変更可能な方向を示す表示である方向表示を表示し、前記変更手段によって前記大きさが変更された場合に、前記方向表示を、次回に第二表示領域の大きさを変更可能な方向に切り替える方向表示手段を備えたことを特徴とする請求項５に記載の表示装置。
【請求項６】
前記第一表示領域に表示される前記第一情報は、縫製を行う模様を選択するための複数の模様選択キーを含み、
前記第二表示領域に表示される前記第二情報は、前記模様に所定の設定を行うための複数種類の機能キーを含むことを特徴とする請求項１から６のいずれかに記載の表示装置。
【請求項７】
前記表示部は、液晶ディスプレイであり、
前記入力手段は、前記液晶ディスプレイの表面に設けられた透明なタッチパネルであることを特徴とする請求項２から５のいずれかに記載の表示装置。
【請求項８】
請求項１から７のいずれかに記載の表示装置を備えたミシン。
【発明の詳細な説明】
【技術分野】
【０００１】
本発明は、縫製に関する情報を表示することが可能な表示装置、及びその表示装置を備えたミシンに関する。
【背景技術】
【０００２】
従来、縫製に関する複数の情報が表示される表示装置、及びその表示装置を備えたミシンが知られている。例えば、特許文献１に記載のミシンでは、液晶ディスプレイに、項目表示領域である模様選択画面、模様のジグザグの振り幅の表示や設定をする領域、模様の縫目長さの表示や設定をする領域、模様の糸調子の表示や設定をする領域、及び各種入力選択キーなどが表示されている。また、例えば、模様選択画面には、２０個の実用模様のキーが表示されている。このように、縫製に関する種々の情報を示す表示が液晶ディスプレイに表示される。
【先行技術文献】
【特許文献】
【０００３】
【特許文献１】特開２００８−１２１７５号公報
【発明の概要】
【発明が解決しようとする課題】
【０００４】
しかしながら、ミシンが多機能になるほど、縫製に関する情報を示す表示の数は多くなる。このため、全ての情報の表示を液晶ディスプレイに表示させると、画面が煩雑になり、視認性が悪くなるという問題点がある。
【０００５】
本発明の目的は、画面の視認性を確保しつつ、より多くの情報をユーザに提示することが可能な表示装置及びその表示装置を備えたミシンを提供することである。
【課題を解決するための手段】
【０００６】
本発明の第１の態様に係る表示装置は、縫製に関する情報を含む第一情報を表示する領域である第一表示領域と、縫製に関する情報であって前記第一情報とは異なる情報を含む第二情報を表示する領域である第二表示領域とを隣接させて表示部に表示する第一表示制御手段と、前記第一表示制御手段によって前記表示部に表示された前記第一表示領域と前記第二表示領域とのうち、少なくとも一方の表示領域の大きさを変更して前記表示部に表示する変更手段とを備えている。この場合、第一表示領域と第二表示領域とのうち、少なくとも一方の表示領域の大きさを変更できる。このため、例えば、画像の視認性を確保できる程度の数の情報を表示領域に表示しておき、必要に応じて表示領域の大きさを大きくすることで、今まで表示されていなかった情報をユーザに対して提示することができる。このように、本発明は、画像の視認性を確保しつつ、より多くの情報をユーザに提示することができる。
【０００７】
前記表示装置において、前記第一表示領域又は前記第二表示領域の大きさを変更するための操作が入力される入力手段を備え、前記変更手段は、前記入力手段を介して前記操作が入力された場合に、前記第一表示制御手段によって前記表示部に表示されている前記第一表示領域と前記第二表示領域とのうち、前記操作に応じた表示領域の大きさを変更して前記表示部に表示してもよい。この場合、ユーザは、入力手段を操作することで、第一表示領域と第二表示領域とのうち、所望の表示領域の大きさを変更することができる。
【０００８】
前記表示装置において、前記第一表示制御手段は、前記表示部における前記第二表示領域内に、前記第二表示領域の大きさを変更する操作部であることを示す特定部位を表示し、前記変更手段は、前記入力手段によって前記特定部位が操作された場合に、少なくとも前記第二表示領域の大きさを変更してもよい。この場合、ユーザは、特定部位に対応するタッチパネルの部位を操作することで、第二表示領域の大きさを変更することができる。特定部位が表示されることによって、ユーザは、第二表示領域の大きさを変更する操作部の位置を認識し易くなる。よって、ユーザが第二表示領域の大きさを変更する場合の操作性が向上する。
【０００９】
前記表示装置において、前記特定部位は、前記第二表示領域から、前記第二表示領域に隣接する前記第一表示領域側に向けて突出する部位であってもよい。この場合、特定部位が突出しているため、画面上で、特定部位が強調される。よって、ユーザは、特定部位の位置をより認識し易くなる。
【００１０】
前記表示装置は、前記特定部位の内側に、前記第二表示領域の大きさを変更可能な方向を示す表示である方向表示を表示し、前記変更手段によって前記大きさが変更された場合に、前記方向表示を、次回に第二表示領域の大きさを変更可能な方向に切り替える方向表示手段を備えてもよい。この場合、大きさを変更可能な方向が特定部位に表示されるため、ユーザは、特定部位を操作した場合に、第二表示領域の大きさが変化する方向を容易に認識することができる。よって、ユーザの利便性が向上する。
【００１１】
前記表示装置において、前記第一表示領域に表示される前記第一情報は、縫製を行う模様を選択するための複数の模様選択キーを含み、前記第二表示領域に表示される前記第二情報は、前記模様に所定の設定を行うための複数種類の機能キーを含んでもよい。この場合、表示領域の大きさを変更しながら、第一表示領域に表示された模様選択キーを操作して模様を選択し、第二表示領域に表示された機能キーを操作して、模様に所定の設定を行うことができる。このため、ユーザは、縫製を行う模様の選択及び設定をスムーズに行うことができる。
【００１２】
前記表示装置において、前記表示部は、液晶ディスプレイであり、前記入力手段は、前記液晶ディスプレイの表面に設けられた透明なタッチパネルであってもよい。この場合、ユーザは、タッチパネルを操作して、第一表示領域と第二表示領域とのうち、所望の表示領域の大きさを変更することができるので、直観的に操作を行うことができる。よって、ユーザの利便性が向上する。
【００１３】
本発明の第２の態様にかかるミシンは、前記表示装置を備えている。この場合、ミシンにおいて、前記表示装置が有する効果を得ることができる。
【図面の簡単な説明】
【００１４】
【図１】開閉カバー１６が開けられたミシン１を前斜め上方から見た図である。
【図２】ミシン１の電気的構成を示すブロック図である。
【図３】液晶ディスプレイ１５に表示される画像の一例を示す図である。
【図４】模様が選択された状態の画像の一例を示す図である。
【図５】図４に示す選択模様表示１２１が左右反転された状態の画像の一例を示す図である。
【図６】図５の第二表示領域１６０が、大領域状態に変化した状態の画像の一例を示す図である。
【図７】図６に示す選択模様表示１２１の大きさが大きくされた状態の画像の一例を示す図である。
【図８】メイン処理を示すフローチャートである。
【図９】図７に示す第二表示領域１６０が、小領域状態に変化した状態の画像の一例を示す図である。
【図１０】第一表示領域１００の上側に隣接して第二表示領域１６０が表示された状態の画像の一例である。
【発明を実施するための形態】
【００１５】
以下、本発明を具現化した実施の形態について、図面を参照して説明する。本実施形態は、上下動する針に対して相対的に加工布を移動して加工布に縫い目を形成するミシンに本発明を適用した場合の一例である。
【００１６】
まず、ミシン１の物理的構成について、図１を参照して説明する。以下の説明では、図１における紙面の手前側、奥行き側、上側、下側、左側、右側を、それぞれミシン１の前側、後側、上側、下側、左側、右側と定義して説明する。
【００１７】
図１に示すように、ミシン１は、左右方向に長いミシンベッド１１と、ミシンベッド１１の右端部から上方へ立設された脚柱部１２と、脚柱部１２の上端から左方へ延びるアーム部１３と、アーム部１３の左先端部に設けられた頭部１４とを有する。ミシンベッド１１には、ミシンベッド１１上面に配設された針板３３と、この針板３３の下側に設けられ、縫製を施そうとする加工布（図示外）を所定の送り量で移送するための送り歯３４と、この送り歯３４を駆動する布送り機構（図示外）と、送り量を調整する送り量調整用パルスモータ７８（図２参照）と、釜機構（図示外）とが設けられている。頭部１４には、縫針２９が装着された針棒（図示外）を上下方向に駆動させる針棒機構（図示外）と、この針棒を左右方向に揺動させる針振り・針棒釈放パルスモータ８０（図２参照）と、天秤機構（図示外）とが設けられている。
【００１８】
脚柱部１２の前面には、縦長の長方形形状を有する液晶ディスプレイ１５が設けられている。この液晶ディスプレイ１５には、例えば、縫製作業に必要な各種の機能を実行するためのキー、各種のメッセージ、及び種々の模様等が表示される。
【００１９】
液晶ディスプレイ１５の表面（前面）には、透明なタッチパネル２６が設けられている。このため、これらの液晶ディスプレイ１５に表示された画面の各種キーなどに対応するタッチパネル２６を、指や専用のタッチペンを用いて押圧操作することにより、例えば、縫製に供する模様の選択や選択した模様についての各種の設定等を実行することができる（以下、この操作を「パネル操作」と言う。）。
【００２０】
また、脚柱部１２の右側面には、メモリーカード等の外部記憶装置（図示外）を接続可能なコネクタ３８が設けられている。このコネクタ３８を介して、外部記憶装置から模様のデータや、各種プログラムをミシン１の内部に取り込んだり、ミシン１の外部に出力したりすることが可能である。
【００２１】
次に、アーム部１３の構成について説明する。アーム部１３には、その上部側を開閉する開閉カバー１６が取り付けられている。この開閉カバー１６はアーム部１３の長手方向に設けられ、アーム部１３の上後端部に左右方向向きの軸回りに開閉可能に軸支されている。この開閉カバー１６を開けた状態の、アーム部１３の上部中央近傍には、ミシン１に糸を供給する糸駒１９を収容するための凹部である糸収容部１７が設けられている。この糸収容部１７の脚柱部１２側の内壁面には、頭部１４に向かって突出し、糸駒１９を装着するための糸立棒１８が配設され、糸駒１９は、糸駒１９が備える挿入孔が糸立棒１８に挿入されて装着される。この糸駒１９から延びる上糸２０は、図示しないが、頭部１４に設けられた糸張力を調整する糸調子器及び糸取バネ、上下に往復駆動して上糸を引き上げる天秤等の複数の糸掛部を経由して、針棒に装着された縫針２９に供給される。
【００２２】
また、アーム部１３には、ミシンモータ７９（図２参照）により回転駆動され、アーム部１３の長手方向に延設されるミシン主軸（図示外）が設けられ、このミシン主軸の回転により針棒機構と天秤機構とが駆動される。
【００２３】
このアーム部１３の前面下部には、スイッチ群２１が設けられている。スイッチ群２１は、縫製開始・停止スイッチ、返し縫いスイッチ、針上下スイッチ、押え足昇降スイッチ、及び自動糸掛開始スイッチ等を備えている。
【００２４】
また、アーム部１３の左先端部に設けられた頭部１４には、前述の針棒、天秤、糸調子器、糸取バネの他、図示しないが、自動糸掛け装置、自動糸通し機構等が設けられている。また、針棒の後側には、ミシン機枠に昇降可能に支持された押え棒（図示外）が配設され、この押え棒の下端部には、加工布を押圧するための押え足３０が装着されている。
【００２５】
図２を参照して、ミシン１の電気的構成について説明する。図２に示すように、ミシン１の制御部６０は、ＣＰＵ６１，ＲＯＭ６２，ＲＡＭ６３，ＥＥＰＲＯＭ６４、及び入出力インターフェイス６５を備え、これらはバス６７により相互に接続されている。ＲＯＭ６２には、ＣＰＵ６１が処理を実行するためのプログラム、データ等が記憶されている。ＥＥＰＲＯＭ６４には、ミシン１が模様の縫製を実行するための複数種類の模様のデータが記憶されている。各模様のデータには、使用用途により分類したカテゴリのＩＤであるカテゴリ番号、カテゴリ内番号、模様パターン、模様名、及び縫製を行うための押え足３０の種類の情報等が対応付けられている。また、ＥＥＰＲＯＭ６４には、模様の縫い目長さや糸調子等の上限値並びに下限値、最適値及び設定値が模様ごとに記憶されている。ＲＡＭ６３には、種々の一時データが記憶される。
【００２６】
入出力インターフェイス６５には、スイッチ群２１、タッチパネル２６、及び駆動回路７１，７２，７４，７５が電気的に接続されている。駆動回路７１は、送り量調整用パルスモータ７８を駆動させる。駆動回路７２は、ミシンモータ７９を駆動させる。駆動回路７４は、針振り・針棒釈放パルスモータ８０を駆動させる。駆動回路７５は、液晶ディスプレイ１５を駆動させる。
【００２７】
液晶ディスプレイ１５に表示される画像について、図３〜図７を参照して説明する。図３〜図５に示すように、液晶ディスプレイ１５の上部には、左側から右側に向けて、実用縫いキー９１、文字模様縫いキー９２、画面ロックキー９３、及びホームキー９４が表示されている。実用縫いキー９１がパネル操作されると、第一表示領域１００（後述）に、ミシン１によって形成される実用模様を選択するための模様選択キー１０３が表示される。実用模様は、例えば、直線縫い、ジグザグ縫い、ボタン穴かがり、及びキルト縫いなど、洋裁によく使う模様である。なお、図３〜図７では、実用模様縫いキー９１がパネル操作されて、実用模様の模様選択キー１０３が表示されている状態を示している。
【００２８】
文字模様縫いキー９２がパネル操作されると、第一表示領域１００に、ミシン１によって形成される文字模様を選択するための模様選択キー１０３が表示される。文字模様は、例えば、ひらがな、カタカナ、アルファベットなどの文字や飾りなどの模様である。画面ロックキー９３がパネル操作されると、タッチパネル２６をパネル操作しても処理を行わないようにロックされる。ホームキー９４がパネル操作されると、ホーム画面が表示される。ホーム画面とは、ミシン１に電源が投入された時に、最初に表示される画面のことである。
【００２９】
実用縫いキー９１、文字模様縫いキー９２、画面ロックキー９３、及びホームキー９４の下側には、第一表示領域１００が表示されている。第一表示領域１００は、縫製に関する情報を含む第一情報を表示する領域である。第一情報に含まれる縫製に関する情報は、例えば、実用模様の模様選択キー１０３、文字模様の模様選択キー１０３等である。なお、第一情報は、縫製に関する情報だけで構成されてもよいし、例えば、時計など、縫製に直接関係しない情報を含んでいてもよい。
【００３０】
図４に示すように、第一表示領域１００には、第一情報として、複数の模様選択キー１０３、カテゴリ選択キー１４１〜１４５、カテゴリ番号表示１４７、及び位置表示１４８が表示されている。模様選択キー１０３は、対応する模様の使用用途により１〜５のカテゴリ番号により識別される５つのカテゴリに分類されており、各模様選択キー１０３はカテゴリごとに第一表示領域１００に表示される。本実施形態では、一例として、カテゴリ番号１が、「直線縫い・ジグザグ縫い」の模様群であるとし、カテゴリ番号２が、「飾り模様」の模様群であるとする。カテゴリ番号３が「ボタン穴かがり」の模様群であるとし、カテゴリ番号４が、加工布を左右方向に送ることで縫目を左右方向に形成する「横送り模様」の模様群であるとする。また、カテゴリ番号５が、「キルト縫い」の模様群であるとする。
【００３１】
図３〜図５に示す第一表示領域１００には、カテゴリ番号１に分類された複数個の模様選択キー１０３のうちの一部（図４では１６個）の模様選択キー１０３が表示されている。また、各模様選択キー１０３には、カテゴリ番号１３１、カテゴリ内番号１３２、及び模様パターン１３３が表示されている。このカテゴリ番号１３１は、実用模様が分類されるカテゴリ名を表している。カテゴリ内番号１３２は、カテゴリ内の各模様に対して割り当てられた番号である。模様パターン１３３は、模様の形状の概要を表している。
【００３２】
第一表示領域１００に表示された模様選択キー１０３のうち、ユーザにより選択された模様選択キー１０３に対応する模様のデータは、ＥＥＰＲＯＭ６４から読み出され、ＲＡＭ６３に記憶され、カテゴリ番号、カテゴリ内番号、及び模様名が、模様選択キー１０３の上側の選択模様表示欄１２０に表示される（図４参照）。図４では、カテゴリ番号１、カテゴリ内番号１６の模様選択キー１０３が選択され、この模様選択キー１０３に対応するカテゴリ内番号及び模様名「１−１６  裁ち目かがり（Ｏｖｅｒｃａｓｔｉｎｇ  ｓｔｉｔｃｈ）」が選択模様表示欄１２０に表示されている。
【００３３】
なお、この選択された実用模様は、さらに、その模様パターンが第一表示領域１００の左側に設けられた選択模様表示領域１５０の選択模様表示１２１に表示される（図４参照）。このため、ユーザは、選択した模様を縫製した場合にどのような縫い目が形成されるかを視覚的に容易に把握することができる。なお、選択模様表示領域１５０に表示される他の表示については、後述する。
【００３４】
第一表示領域１００において、複数の模様選択キー１０３の右側には、カテゴリ選択キー１４１〜１４５が上下方向に５つ並んで表示されている。カテゴリ選択キー１４１〜１４５は、カテゴリ番号１〜５のカテゴリを選択するためのキーであり、パネル操作が行われると、各カテゴリに含まれる模様の模様選択キー１０３が第一表示領域１００に表示される。
【００３５】
カテゴリ選択キー１４１〜１４５の右側には、カテゴリ番号表示１４７と位置表示１４８とが表示されている。カテゴリ番号表示１４７は、前述のカテゴリを表す表示であり、図３〜図７では、「１／５」と表示されている。これは、全部で５つあるカテゴリのうち、カテゴリ番号１に分類された模様選択キー１０３が第一表示領域１００に表示されていることを示している。位置表示１４８は、複数の模様選択キー１０３のうち、第一表示領域１００に表示されている模様選択キー１０３の位置を表示する。ユーザは、位置表示１４８中のカーソル１４９を移動させるようにパネル操作することで、表示される模様選択キー１０３を上下に移動させ、図３〜図７には表示されていない模様選択キー１０３を表示することができる。
【００３６】
第一表示領域１００の下側には、第一表示領域１００に隣接して第二表示領域１６０が設けられている。第二表示領域１６０は、縫製に関する情報であって第一情報とは異なる情報を含む第二情報を表示する領域である。図３〜図７に示す例では、第二表示領域１６０に、複数の機能キー５０が表示されている。機能キー５０は、模様に所定の設定を行うためのキーである。機能キー５０のうち、機能キー５０１〜５０５は１行目に表示され（図３〜図７参照）、機能キー５０６〜５１０は２行目に表示されている（図６及び図７参照）。
【００３７】
複数の機能キー５０のうち、機能キー５０１は、フリーモーションモードキーであり、加工布をユーザが自由に動かせるように送り歯３４が加工布に接触しないように設定するためのキーである。また、機能キー５０２は、左右反転キーであり、模様を左右反転するためのキーである。機能キー５０３は、上下反転キーであり、模様を上下反転するためのキーである。機能キー５０４は、２本針キーであり、１本針で縫製する場合と２本針で縫製する場合との設定を切り替えるためのキーである。機能キー５０５は、連続縫製キーであり、連続した複数の模様を連続して縫製する場合と、個々の模様を縫製する毎に縫製を停止する場合とを切り替えるためのキーである。
【００３８】
機能キー５０６は、模様の頭出しキーであり、縫製が停止されている時にパネル操作されると、縫製中の模様の先頭に針落ち点を戻すことができるキーである。機能キー５０７は、削除キーであり、一旦選択した模様を取り消すためのキーである。機能キー５０８は、大きさキーであり、選択した模様の大きさを変更するためのキーである。機能キー５０９，５１０は、空欄となっている。例えば、新たに機能キーを設定するためのデータが記憶された外部記憶装置をコネクタ３８（図１参照）に接続し、ミシン１のＥＥＰＲＯＭ６４に機能キーを設定するためのデータを記憶させることで、空欄となっている機能キー５０９，５１０に新たな機能キーを追加することができる。なお、機能キー５０１〜５１０のうち、１行目に表示される機能キー５０１〜５０５は、２行目に表示される５０６〜５１０に比べて、使用頻度の多いキーに設定してある。また、第二情報は、縫製に関する情報だけで構成されてもよいし、例えば、時計など、縫製に直接関係しない情報を含んでいてもよい。
【００３９】
第二表示領域１６０は、ユーザによってタブ１６１がパネル操作されることによって、大きさが変更される。例えば、図５では、１行分の機能キー５０（機能キー５０１〜５０５）が表示されているが、ユーザによってパネル操作されると、図６に示すように、第二表示領域１６０が大きく表示されて、２行分の機能キー５０（機能キー５０６〜５１０）が表示される。以下の説明では、図３〜図５に示す第二表示領域１６０の大きさが小さい状態を「小領域状態」といい、図６及び図７に示す第二表示領域１６０の大きさが大きい状態を「大領域状態」という。
【００４０】
第二表示領域１６０のタブ１６１は、第二表示領域１６０から、第二表示領域１６０に隣接する第一表示領域１００側（本実施形態では上側）に向けて突出する部位である。より詳細には、タブ１６１は、第二表示領域１６０の右上部に設けられており、上方に向かって、突出している。タブ１６１の上端は、円弧状に表示されている。ユーザがタブ１６１を押下又はドラッグアンドドロップなどのパネル操作をすることによって、第二表示領域１６０の大きさが変更される（図８のＳ１６及びＳ１８参照、後述）。
【００４１】
タブ１６１の内側には、方向表示１６２が表示されている。方向表示１６２は、第二表示領域１６０の大きさを変更可能な方向を示している。例えば、第二表示領域１６０が小領域状態（図３〜図５参照）である場合、方向表示１６２は上方向を示しており、ユーザがタブ１６１をパネル操作すると、第二表示領域１６０は、上方向に向かって大きくなり、大領域状態（図６及び図７参照）となる。また、第二表示領域１６０が大領域状態（図６及び図７参照）である場合、方向表示１６２は下方向を示しており、ユーザがタブ１６１をパネル操作すると、第二表示領域１６０は、下方向に向かって小さくなり、小領域状態（図３〜図５参照）となる。
【００４２】
前述の選択模様表示領域１５０についてより詳細に説明する。図４に示すように、選択模様表示領域１５０における選択模様表示１２１の上側には、押え足記号１２４が表示されている。押え足記号１２４は、模様選択キー１０３がパネル操作されて選択された模様を縫製する際に取り付ける押え足３０（図１参照）を表している。ユーザは、押え足記号１２４に従うことにより、選択された模様を縫製するのに適した押え足３０を装着することができる。また、押え足記号１２４の上側に表示された針設定状態１２５は、ミシン１の運転が停止したときの針位置を示している。図３〜図７における針設定状態１２５は、矢印が下方向を向いており、運転停止時に加工布に縫針２９を刺した状態で針が停止する設定になっていることを示している。
【００４３】
また、選択模様表示１２１の下側には、ピボットキー１２６、自動止め縫いキー１２７、自動糸切キー１２８等が上下に並んで表示されている。ピボットキー１２６は、ピボット設定をするためのキーである。ピボット設定をして縫製を止めると、縫針２９が下がった状態でミシン１は縫製が停止され、押え足３０は、自動的に上に上がる。ユーザは、縫針２９を支点に加工布を回転させることができる。自動止め縫いキー１２７は、縫製の開始時と終了時に自動で止め縫いを行う動作を設定するためのキーである。自動糸切りキー１２８は、縫製終了時に自動で上糸と下糸を切断するように設定するためのキーである。
【００４４】
第二表示領域１６０の下方には、項目表示領域５３０が設けられている。項目表示領域５３０には、縫い目調節キー５３１、シフトキー５３４、及び糸調子キー５３５が表示されている。縫い目調節キー５３１は、振り幅調節キー５３２と長さ調節キー５３３とを含む。振り幅調節キー５３２は、模様選択キー１０３によって選択した模様のジグザグの振り幅を調節するためのキーであり、長さ調節キー５３３は、選択した模様の縫い目の長さを調節するためのキーである。シフトキー５３４は、縫い目の位置を左右方向に移動させるキーである。糸調子キー５３５は、糸調子を調節するためのキーである。項目表示領域５３０に表示されている各キー５３２〜５３５をパネル操作することで、各設定値を増加又は減少させ、好みに応じて設定値を調節することができる。設定値は、各キー５３２〜５３５の左側の設定値表示５３６に表示される。
【００４５】
なお、振り幅は０．０〜７．０ｍｍの範囲で、縫い目の長さは０．０〜５．０ｍｍの範囲で、選択される模様に応じてその上限値及び下限値がＲＯＭ６２又はＥＥＰＲＯＭ６４に記憶されており、振り幅及び縫い目長さに関わる各種処理を実行する際に読み出され、ＲＡＭ６３に記憶され、調節可能な状態となる。このため、選択した模様について、ユーザの好みに応じて模様の振り幅及び縫い目の長さのそれぞれを容易且つ的確に調整することができ、所望の縫い目にて模様を縫製することが可能である。また、この糸調子の設定値は、通常は模様ごとに定められた最適な糸調子に設定するようになっており、０．０〜９．０の範囲で糸調子を調整することができる。
【００４６】
図８のフローチャートを参照して、メイン処理について説明する。メイン処理は、ミシン１のＣＰＵ６１によって実行される。メイン処理は、ミシン１の電源がＯＮされた場合に開始される。図８に示すように、メイン処理では、まず、液晶ディスプレイ１５に画像が表示される（Ｓ１１）。Ｓ１１で表示される画像は、例えば、前回ミシン１の電源をＯＦＦする直前に、液晶ディスプレイ１５に表示されていた画像である。画像を表示するための情報は、ＥＥＰＲＯＭ６２の記憶されており、Ｓ１１では、ＥＥＰＲＯＭ６２に記憶された画像を表示するための情報が読みだされ、ＲＡＭ６３に記憶され、画像が表示される。本実施形態では、具体例として、図３に示す画像が液晶ディスプレイ１５に表示されるとする。図３に示すように、Ｓ１１では、第一表示領域１００と第二表示領域１６０とが隣接した状態で、液晶ディスプレイ１５に表示される。第一表示領域１００には、前述の第一情報が表示され、第二表示領域１６０には、前述の第二情報が表示されている。図３は、模様が選択されていない状態の画像を表している。
【００４７】
次いで、パネル操作が行われたか否かが判断される（Ｓ１２）。パネル操作が行われていない場合（Ｓ１２：ＮＯ）、処理はＳ１２に戻る。パネル操作が行われた場合（Ｓ１２：ＹＥＳ）、Ｓ１２で検出されたパネル操作が、タブ１６１に対応するタッチパネル２６の部位（タブ１６１の前面に位置する部位）へのパネル操作か否かが判断される（Ｓ１３）。すなわち、タブ１６１がパネル操作されたか否かが判断される。
【００４８】
タブ１６１がパネル操作されていない場合（Ｓ１３：ＮＯ）、パネル操作された各キーに対応した処理が実行される（Ｓ１４）。例えば、図３に示す第一表示領域１００の模様選択キー１０３のうち、カテゴリ内番号「１−１６」の模様選択キー１０３がパネル操作された場合、ＥＥＰＲＯＭ６２からカテゴリ内番号「１−１６」の模様に対応する模様のデータが読み出され、ＲＡＭ６３に記憶される。そして、図４に示すように、模様のデータに対応付けられている模様パターンに基づいて選択模様表示１２１が表示され、縫製を行うための押え足３０の種類の情報に基づいて押え足記号１２４が表示される。また、カテゴリ内番号及び模様名「１−１６  裁ち目かがり（Ｏｖｅｒｃａｓｔｉｎｇ  ｓｔｉｔｃｈ）」が選択模様表示欄１２０に表示される。次いで、処理はＳ１１に戻る。
【００４９】
選択されたカテゴリ内番号「１−１６」についての模様については、機能キー５０、縫い目調節キー５３１、シフトキー５３４、及び糸調子キー５３５等を使用して種々の設定を行うことができる。例えば、第二表示領域１６０に表示された機能キー５０２（左右反転キー）がパネル操作された場合（Ｓ１２：ＹＥＳ、Ｓ１３：ＮＯ）、選択模様表示１２１が左右反転され、図４に示す状態から図５に示す状態に変化する（Ｓ１４）。ユーザが、さらに多くの機能キー５０を第二表示領域１６０に表示させて模様に設定を行うことを望む場合、ユーザは、タブ１６１をパネル操作して、第二表示領域１６０を大領域状態（図６参照）にする。
【００５０】
Ｓ１３において、タブ１６１に対応するタッチパネル２６の部位へのパネル操作である場合（Ｓ１３：ＹＥＳ）、第二表示領域１６０が大領域状態（図６及び図７参照）であるか否かが判断される（Ｓ１５）。例えば、図５に示すように、第二表示領域１６０が小領域状態である場合、第二表示領域１６０が大領域状態ではないと判断され（Ｓ１３：ＮＯ）、第二表示領域１６０の大きさが変更され、第二表示領域１６０が大きく表示される（Ｓ１６）。これによって、第二表示領域１６０が小領域状態（図５参照）から大領域状態（図６参照）に変更される。第二表示領域１６０が大きくなるので、ミシン１は、より多くの第二情報（本実施形態では、機能キー５０）をユーザに提示することができる。Ｓ１６では、第二表示領域１６０が、小領域状態（図５参照）から上方向に徐々に大きくなって、大領域状態（図６参照）に至る。また、第二表示領域１６０が大きくなるのに伴って、第二表示領域１６０に隣接する第一表示領域１００が小さくなる（図５及び図６参照）。このため、ユーザは、第二表示領域１６０の第二情報（機能キー５０）が、第一表示領域１００の前面側に引き出されているように視認する。
【００５１】
次いで、Ｓ１６と略同時に、タブ１６１の方向表示１６２が、次回に第二表示領域１６０の大きさを変更可能な方向に切り替えられる（Ｓ１７）。Ｓ１７によって、図６に示すように、方向表示１６２が下方向、すなわち、大領域状態（図６及び図７参照）から小領域状態（図２〜図５参照）に向かう方向に向く。次いで、処理はＳ１１に戻る。
【００５２】
具体例の場合、図６に示すように大領域状態となり、２行目の機能キー５０６〜５１０が表示される（Ｓ１６）。これによって、小領域状態（図５参照）では表示されていなかった機能キー５０６〜５１０をパネル操作することが可能になる。例えば、ユーザによって機能キー５０８（大きさキー）がパネル操作された場合（Ｓ１２：ＹＥＳ、Ｓ１３：ＮＯ）、図７に示すように、選択模様表示１２１の模様パターンが大きくなる（Ｓ１４）。なお、図８のフローチャートには図示していないが、この状態で、ユーザがスイッチ群２１（図１及び図２参照）の縫製開始・停止スイッチを押下すると、選択模様表示１２１に表示された模様パターンと同様に、カテゴリ内番号「１−１６」の模様が左右反転されて、大きくされた模様が加工布に縫製される。
【００５３】
Ｓ１５において、大領域状態であると判断された場合（Ｓ１５：ＹＥＳ）、第二表示領域１６０の大きさが変更され、第二表示領域１６０が小さく表示される（Ｓ１８）。これによって、第二表示領域１６０が大領域状態（図７参照）から小領域状態（図９参照）に変更される。Ｓ１６では、第二表示領域１６０が、大領域状態（図７参照）から徐々に下方向に大きくなって、小領域状態（図９参照）に至る。また、第二表示領域１６０が小さくなるのに伴って、第二表示領域１６０に隣接する第一表示領域１００が大きくなる（図７及び図９参照）。このため、ユーザは、引き出されていた第二表示領域１６０に表示された第二情報が、下方向に収納されたように視認する。また、第一表示領域１００が大きくなるので、第一表示領域１００に表示される第一情報が増える。すなわち、ミシン１は、第二表示領域１６０が大領域状態である場合に比べて、より多くの第一情報をユーザに提示することができる。
【００５４】
次いで、Ｓ１８の処理と略同時に、タブ１６１の方向表示１６２が、次回に第二表示領域を変更可能な方向に切り替えられる（Ｓ１９）。Ｓ１９によって、図９に示すように、方向表示が上方向、すなわち、小領域状態（図２〜図５、図９参照）から大領域状態（図６及び図７参照）に向かう方向に向く。次いで、処理はＳ１１に戻る。
【００５５】
以上のように、本実施形態の処理が行われる。液晶ディスプレイ１５の大きさは限られているため、あまりに多くの情報を液晶ディスプレイ１５に表示すると、画像の視認性を確保できない。本実施形態では、第二表示領域の大きさを変更できる。このため、画像の視認性を確保できる程度の数の第一情報（模様選択キー１０３など）と第二情報（機能キー５０１〜５０５）とを第一、第二表示領域１００，１６０に表示しておき（図２〜図５参照）、必要に応じて第二表示領域１６０の大きさを大きくすることで、今まで表示されていなかった情報（機能キー５０６〜５１０）を表示してユーザに提示することができる（図６及び図７参照）。つまり、本実施形態では、画像の視認性を確保しつつ、より多くの情報をユーザに提示することができる。
【００５６】
また、ユーザは、タッチパネル２６を操作することで、第二表示領域１６０の大きさを変更することができる。すなわち、タッチパネル２６を使用するので、液晶ディスプレイ１５に表示された画像のタブ１６１をパネル操作することによって、直観的に第二表示領域１６０の大きさを変更することができる。直観的にパネル操作できるので、ユーザの利便性が向上する。
【００５７】
また、ユーザは、タブ１６１に対応するタッチパネル２６の部位をパネル操作することで、第二表示領域１６０の大きさを変更することができる。タブ１６１が液晶ディスプレイ１５に表示されるので、ユーザは、第二表示領域１６０の大きさを変更する操作部（すなわち、タブ１６１）の位置を認識し易くなる。よって、ユーザが第二表示領域１６０の大きさを変更する場合の操作性が向上する。
【００５８】
また、タブ１６１は、第二表示領域１６０から、第一表示領域１００側に向けて突出する部位である。タブ１６１が突出しているため、液晶ディスプレイ１５に表示される画面上で、タブ１６１が強調される。よって、ユーザは、タブ１６１の位置をより認識し易くなる。このため、ユーザが第二表示領域１６０の大きさを変更する場合の操作性がさらに向上する。
【００５９】
また、大きさを変更可能な方向を示す方向表示１６２がタブ１６１の内側に表示されるので、ユーザは、タブ１６１を操作した場合に第二表示領域１６０の大きさが変化する方向を容易に認識することができる。よって、ユーザの利便性が向上する。
【００６０】
また、タブ１６１が第二表示領域１６０から突出していることによって、タブ１６１の形状が、例えば、お菓子の蓋の開け口など、日常生活において触れることの多い開け口に似た形状に見える。お菓子の蓋の開け口は、それを指で掴んで蓋を開けることで、中身のお菓子が姿を現す。本実施形態では、タブ１６１が開け口に似た形状をしていることにより、お菓子の蓋を開ける場合と同様に、ユーザは、タブ１６１を操作すれば、表示されていない情報が姿を現す（表示される）ことを、容易に認識することができる。特にご年配のユーザは、画面をパネル操作して種々の情報にアクセスすることが苦手な場合が多いが、タブ１６１を操作すれば、表示されていない情報が姿を現すことを容易に認識できるので、ご年配のユーザにも操作し易い。
【００６１】
また、図３〜図５に示すように、小領域状態の場合でも、１行分の機能キー５０が表示されている。複数の機能キー５０の一部が、第二表示領域１６０に表示されているので、ユーザは、第二表示領域１６０が機能キー５０を表示する領域であることを容易に認識することができる。そして、タブ１６１が設けられているため、ユーザは、タブ１６１をパネル操作すれば、さらに多くの機能キー５０を表示できることを容易に認識することができる。よって、スムーズに縫製を実行するための操作を行うことができる。
【００６２】
また、第一表示領域１００に表示される第一情報は、縫製を行う模様を選択するための複数の模様選択キー１０３を含み、第二表示領域１６０に表示される第二情報は、縫製を行う模様に所定の設定を行うための複数種類の機能キー５０を含む。このため、第一表示領域１００に表示された模様選択キー１０３を操作して模様を選択し、第二表示領域１６０の大きさを変更しながら機能キー５０を操作して、模様に所定の設定を行うことができる。このため、ユーザは、縫製を行う模様の選択及び設定をスムーズに行うことができる。
【００６３】
また、機能キー５０１〜５１０のうち、１行目に表示される機能キー５０１〜５０５は、２行目に表示される５０６〜５１０に比べて、使用頻度の多いキーに設定してある。そして、使用頻度の多い１行目の機能キー５０１〜５０５は、小領域状態の場合でも表示されている（図３〜図５参照）。このため、ユーザは、小領域状態のまま、使用頻度の多い機能キー５０１〜５０５を操作し、使用頻度の比較的少ない機能キー５０６〜５１０を操作する場合にのみ、タブ１６１をパネル操作して、第二表示領域１６０を大領域状態にし、２行目の機能キー５０６〜５１０を表示させればよい。よって、第二表示領域１６０を小領域状態と大領域状態との間で変更するためのタブ１６１のパネル操作の頻度が少なくなる。よって、ユーザは、よりスムーズに縫製を行う模様の選択及び設定を行うことができる。
【００６４】
上記実施形態において、制御部６０が本発明の「表示装置」に相当し、液晶ディスプレイ１５が本発明の「表示部」に相当する。Ｓ１１の処理を行うＣＰＵ６１が本発明の「第一表示制御手段」に相当し、Ｓ１６及びＳ１８の処理を行うＣＰＵ６１が本発明の「変更手段」に相当する。タッチパネル２６が本発明の「入力手段」に相当し、Ｓ１１、Ｓ１７、及びＳ１９で方向表示１６２を表示する処理を行うＣＰＵ６１が本発明の「方向表示手段」に相当する。タブ１６１が本発明の「特定部位」に相当する。
【００６５】
なお、本発明は上記の実施形態に限定されるものではなく、種々の変更が可能である。例えば、第一表示領域１００の下側に隣接して、第二表示領域１６０が表示されていたが、これに限定されない。例えば、図１０に示すように、第一表示領域１００の上側に隣接して、第二表示領域１６０が表示されてもよい。同様に、第一表示領域１００の右側又は左側に隣接して、第二表示領域１６０が表示されてもよい。
【００６６】
また、大きさを変更できるのは第二表示領域１６０であったが、これに限定されない。例えば、第二表示領域１６０の場合と同様に、第一表示領域１００の大きさを変更できるようにしてもよい。また、第一表示領域１００と第二表示領域１６０との両方の大きさを変更できるようにしてもよい。すなわち、第一表示領域１００と第二表示領域１６０とのうち、少なくとも一方の表示領域の大きさを変更できるようにすればよい。この場合、ユーザは、第一表示領域１００と第二表示領域１６０とのうち、所望の表示領域の大きさを変更することができる。このため、所望の表示領域に表示される情報をより多く表示させることができる。
【００６７】
また、第二表示領域１６０が大きくなる場合に、第一表示領域１００が小さくなっていたが、これに限定されない。例えば、第二表示領域１６０が大きくなるのに伴って、第一表示領域１００がスライド移動してもよい。
【００６８】
また、第二表示領域１６０が大領域状態の場合に、２行分の機能キー５０が表示されていたが、これに限定されない。例えば、大領域状態の場合に、３行分の機能キー５０が表示されてもよい。この場合、タブ１６１をパネル操作することで、１〜３行の任意の行数を表示できる大きさに、第二表示領域１６０を調整可能であってもよい。
【００６９】
また、タブ１６１が、第二表示領域１６０から第一表示領域１００に向けて突出していたが、これに限定されない。例えば、タブ１６１が第二表示領域１６０の内側に設けられ、突出しなくてもよい。
【００７０】
また、第一表示領域１００に表示される第一情報は、模様選択キー１０３等であり、第二表示領域１６０に表示される第二情報は機能キー５０であったが、これに限定されない。第一情報及び第二情報は、縫製に関する情報を含めば、他の情報であってもよい。例えば、ミシン１の頭部１４に、押え足３０周辺の加工布を撮像可能なカメラを設け、第一表示領域１００にカメラで撮像された画像を表示し、第二表示領域１６０にカメラの拡大縮小するためのキーなど、カメラの設定を行うキーを表示してもよい。
【００７１】
また、画像を表示するのは、液晶ディスプレイ１５であったが、これに限定されない。例えば、有機ＥＬディスプレイなど、他の種類のディスプレイであってもよい。
【００７２】
また、タッチパネル２６を使用して操作を行っていたが、これに限定されない。例えば、ミシン１にマウスを接続し、マウスで液晶ディスプレイ１５上のカーソルを動かしながら操作できるようにしてもよい。
【００７３】
また、タブ１６１をパネル操作した場合に、第二表示領域１６０の大きさが変更されていたが、これに限定されない。例えば、ミシン１にメカ的なスイッチを設け、該スイッチをＯＮした場合に、第二表示領域１６０を大領域状態にし、ＯＦＦした場合に、第二表示領域１６０を小領域状態にしてもよい。
【００７４】
また、タブ１６１の形状は限定されない。例えば、タブ１６１が四角形でもよい。また、タブ１６１の先端が三角形でもよい。また、タブ１６１に模様を付けてもよい。この場合、タブ１６１が模様によって、より目に付きやすくなるので、ユーザは、パネル操作を行える部位であることをさらに容易に認識することができる。
【００７５】
また、本発明の「表示装置」に相当する制御部６０をミシン１が備えていたが、本発明の「表示装置」は、ミシン１とは別の装置であってもよい。例えば、本発明の「表示装置」は、携帯端末やパーソナルコンピュータ等の装置でもよい。そして、該装置が備えるＣＰＵが図８に示すフローチャートを実行してもよい。この場合、例えば、上述の実施形態で示した具体例等を該装置で実行し、編集された模様のデータをミシン１に転送して、ミシン１が縫製を実行してもよい。この変形例の場合、該装置が本発明の「表示装置」に相当し、該装置が備えるディスプレイが本発明の「表示部」に相当する。Ｓ１１の処理を行う該装置のＣＰＵが本発明の「第一表示制御手段」に相当し、Ｓ１６及びＳ１８の処理を行う該装置のＣＰＵが本発明の「変更手段」に相当する。Ｓ１１、Ｓ１７、及びＳ１９で方向表示１６２を表示する処理を行う該装置のＣＰＵが本発明の「方向表示手段」に相当する。
【符号の説明】
【００７６】
１    ミシン
１５    液晶ディスプレイ
２６    タッチパネル
５０，５０１〜５１０    機能キー
６１    ＣＰＵ
１００    第一表示領域
１０３    模様選択キー
１６０    第二表示領域
１６１    タブ
１６２    方向表示
【図１】
2013111273.tif 000003
【図２】
2013111273.tif 000004
【図８】
2013111273.tif 000005
【図３】
2013111273.tif 000006
【図４】
2013111273.tif 000007
【図５】
2013111273.tif 000008
【図６】
2013111273.tif 000009
【図７】
2013111273.tif 000010
【図９】
2013111273.tif 000011
【図１０】
2013111273.tif 000012